(57)【要約】【課題】パネル群の展開および折り畳みの操作性を維持しつつ、オプション部材を取り付け可能なパーティションを提供する。【解決手段】パーティション１は、土台１０と、土台に固定された一対の支柱２０Ａ、２０Ｂと、一対の支柱に架け渡された仕切部材５０と、仕切部材の前方に配置され、一対の支柱のいずれかに接続された展開および折り畳み可能なパネル群４０Ａ、４０Ｂと、仕切部材の後方に配置され、一対の支柱の間に設けられたオプション支持部２と、を備える。【選択図】図１
2020066963.tif 000002
【特許請求の範囲】
【請求項１】
土台と、
前記土台に固定された一対の支柱と、
前記一対の支柱に架け渡された仕切部材と、
前記仕切部材の前方に配置され、前記一対の支柱のいずれかに接続された展開および折り畳み可能なパネル群と、
前記仕切部材の後方に配置され、前記一対の支柱の間に設けられたオプション支持部と、を備えたパーティション。
【請求項２】
前後方向において、前記オプション支持部の後端部が、前記一対の支柱の後端部よりも前方に位置している、請求項１に記載のパーティション。
【請求項３】
前記オプション支持部は、左右方向に延びるバーと、前記バーを前記一対の支柱に接続する一対のブラケットと、を含み、
前記バーは、前記一対のブラケットを上方および後方から覆っている、請求項１または２に記載のパーティション。
【請求項４】
前記オプション支持部は、上下方向に間隔を空けて複数設けられている、請求項１から３のいずれか１項に記載のパーティション。
【発明の詳細な説明】
【技術分野】
【０００１】
本発明は、パーティションに関する。
【背景技術】
【０００２】
従来から、下記特許文献１に示されるように、土台および折り畳み可能なパネル群を備えたパーティションが知られている。
【先行技術文献】
【特許文献】
【０００３】
【特許文献１】特表２０１３−５２５６３８号公報
【発明の概要】
【発明が解決しようとする課題】
【０００４】
この種のパーティションでは、パネル群の展開および折り畳みの操作性を維持しつつ、オプション部材を取り付け可能とすることが求められていた。
【０００５】
本発明はこのような事情を考慮してなされ、パネル群の展開および折り畳みの操作性を維持しつつ、オプション部材を取り付け可能なパーティションを提供することを目的とする。
【課題を解決するための手段】
【０００６】
上記課題を解決するために、本発明の一態様に係るパーティションは、土台と、前記土台に固定された一対の支柱と、前記一対の支柱に架け渡された仕切部材と、前記仕切部材の前方に配置され、前記一対の支柱のいずれかに接続された展開および折り畳み可能なパネル群と、前記仕切部材の後方に配置され、前記一対の支柱の間に設けられたオプション支持部と、を備えている。
【０００７】
上記態様によれば、オプション支持部に、ケースや籠などのオプション部材を取り付けることができる。また、オプション支持部が、仕切部材に対するパネル群の反対側に位置しているため、パネル群の展開および折り畳みの操作性に影響しにくい。
【０００８】
ここで、前後方向において、前記オプション支持部の後端部が、前記一対の支柱の後端部よりも前方に位置していてもよい。
【０００９】
この場合、オプション支持部が一対の支柱よりも後方に突出しない構成となり、パーティションを移動させる際に、例えばオプション支持部が壁などに当たることを抑制できる。したがって、パーティション移動時の操作性を向上させることができる。
【００１０】
また、前記オプション支持部は、左右方向に延びるバーと、前記バーを前記一対の支柱に接続する一対のブラケットと、を含み、前記バーは、前記一対のブラケットを上方および後方から覆っていてもよい。
【００１１】
この場合、バーを一対の支柱に容易に取り付けることができる。また、ブラケットがバーによって上方および後方から覆われていることで、ブラケットに埃などの汚れが付着しにくい。また、バーの表面はブラケットの表面よりも平坦な形状としやすいため、バーに汚れが付着したとしても、容易に清掃することができる。したがって、例えば病院などの清潔さが求められる場所にも、上記態様のパーティションを好適に用いることができる。
【００１２】
また、前記オプション支持部は、上下方向に間隔を空けて複数設けられていてもよい。
【００１３】
この場合、複数のオプション支持部にまたがってオプション部材を取り付けることができる。したがって、上下に長い寸法を有するオプション部材であっても、安定して取り付けることができる。
【発明の効果】
【００１４】
本発明の上記態様によれば、パネル群の展開および折り畳みの操作性を維持しつつ、オプション部材を取り付け可能なパーティションを提供することができる。
【図面の簡単な説明】
【００１５】
【図１】本実施形態に係るパーティションの斜視図である。
【図２】図１のパーティションの使用状態の一例を示す斜視図である。
【図３】図１のパーティションの分解斜視図である。
【図４】図３のブラケットの拡大図である。
【図５】（ａ）は図１のバーの背面図である。（ｂ）は（ａ）の側面図である。
【図６】（ａ）は図１のオプション支持部の背面図である。（ｂ）は（ａ）のＶＩ−ＶＩ断面矢視図である。
【発明を実施するための形態】
【００１６】
以下、本実施形態のパーティションについて図面に基づいて説明する。
図１に示すように、パーティション１は、土台１０と、一対の支柱２０Ａ、２０Ｂと、オプション支持部２と、仕切部材５０と、パネル群４０Ａ、４０Ｂと、を備えている。土台１０の下面には複数の土台用キャスター（走行体）Ｃが設けられており、土台１０は移動可能となっている。支柱２０Ａ、２０Ｂは土台１０に固定されている。仕切部材５０は、一対の支柱２０Ａ、２０Ｂに架け渡されている。パネル群４０Ａ、４０Ｂは、別個に展開および折り畳み可能に構成されている。
【００１７】
図２は、図１のパーティション１の使用状態の一例を示す図である。図２に示すように、オプション支持部２は、ケースや籠などのオプション部材３〜５を取り付け可能に構成されている。また、図２に示すように、複数のオプション支持部２を上下方向に間隔を空けて設け、複数のオプション支持部２に跨って、オプション部材５を取り付けることも可能である。
【００１８】
（方向定義）
ここで本実施形態では、ＸＹＺ直交座標系を設定して各構成の位置関係を説明する。Ｚ軸は上下方向を示し、Ｙ軸は前後方向を示し、Ｘ軸は左右方向を示している。以下、＋Ｚ側を上方、−Ｚ側を下方、＋Ｘ側を右方、−Ｘ側を左方、＋Ｙ側を前方、−Ｙ側を後方という。
また、一対の支柱２０Ａ、２０Ｂの間から見て、支柱２０Ａに向かう方向または支柱２０Ｂに向かう方向を、左右方向外側という場合がある。また、支柱２０Ａ、２０Ｂから見て、支柱２０Ａ，２０Ｂの間に向かう方向を左右方向内側という場合がある。
【００１９】
図１に示すように、土台１０は、左右方向に延びる横梁部１１と、横梁部１１の左右方向における両端部にそれぞれ配された一対の縦梁部１２と、を備えている。横梁部１１は、表裏面が上下方向を向く板状に形成されている。上面視において、横梁部１１は、左右方向における長さが前後方向における長さよりも大きい長方形状に形成されている。横梁部１１の左右方向における長さは、折り畳み状態にある各パネル群４０Ａ、４０Ｂの左右方向における幅よりも大きい。一対の縦梁部１２はそれぞれ、横梁部１１の左右方向における両端部を基点として、前方および後方の双方に向けて延びている。折り畳み状態にある各パネル群４０Ａ、４０Ｂは、上面視において、一対の縦梁部１２同士の間に位置する。
【００２０】
一対の縦梁部１２の前後方向における両端部の下面にはそれぞれ、土台１０を移動可能に支持する土台用キャスターＣが取り付けられている。土台用キャスターＣは、この土台用キャスターＣの床面に対する走行を規制するロック機構を有している。なお、土台用キャスターＣに代えて、戸車などの他の走行体を土台１０に設けてもよい。
展開状態では、各パネル群４０Ａ、４０Ｂが倒れやすい状態となる。土台１０は、各パネル群４０Ａ、４０Ｂの倒れを抑止するため、比較的質量の大きい部材となっている。
【００２１】
支柱２０Ａ（第１支柱）は、横梁部１１の左端部に立設されている。支柱２０Ｂ（第２支柱）は、横梁部１１の右端部に立設されている。すなわち、一対の支柱２０Ａ、２０Ｂは、左右方向に間隔を空けて配置されている。支柱２０Ａ、２０Ｂは、パネル群４０Ａ、４０Ｂを支えて、これらのパネル群４０Ａ、４０Ｂが倒れることを抑止する役割を有している。このため、支柱２０Ａ，２０Ｂも土台１０と同様に、比較的質量の大きい部材となっている。
【００２２】
図１に示すように、支柱２０Ａ、２０Ｂのうち、後方を向く端面には、操作部６Ａ、６Ｂが設けられている。操作部６Ａ、６Ｂは、パーティション１を移動させる場合に、使用者が把持して押したり引いたりする部分である。
図３に示すように、支柱２０Ａ、２０Ｂのうち、左右方向内側を向く端面には、複数の締結孔２３が形成されている。複数の締結孔２３は、上下方向に間隔を空けて配置されている。締結孔２３は、ネジ孔などであり、ブラケット６０Ａ，６０Ｂ（後述）を支柱２０Ａ，２０Ｂに固定するために用いられる。なお、締結孔２３は、オプション支持部２が支柱２０Ａ、２０Ｂに取り付けられていない状態において、キャップなどによって閉塞されていてもよい。
【００２３】
支柱２０Ａ，２０Ｂの上端部および下端部にはそれぞれ、オフセット部材２１が設けられている。オフセット部材２１の前方の端部にはそれぞれ、揺動支持部２２が設けられている。支柱２０Ａに設けられた一対のオフセット部材２１は、パネル群４０Ａを揺動可能に支持している。支柱２０Ｂに設けられた一対のオフセット部材２１は、パネル群４０Ｂを揺動可能に支持している。
【００２４】
仕切部材５０は、左右方向および上下方向に延びる板状に形成されている。仕切部材５０は、仕切部材５０よりも前方の空間と、仕切部材５０よりも後方の空間とを仕切っている。仕切部材５０は、前方を向く第１面（図示略）と、後方を向く第２面５１とを有している。仕切部材５０は、一対の支柱２０Ａ，２０Ｂの間に位置している。仕切部材５０の第１面は、パネル群４０Ａ、４０Ｂと前後方向で対向している。パネル群４０Ａ、４０Ｂは仕切部材５０よりも前方に位置しており、オプション支持部２は仕切部材５０よりも後方に位置している。第２面５１とオプション支持部２との間には、前後方向の隙間が設けられている。
【００２５】
（オプション支持部）
図３に示すように、オプション支持部２は、バー３０と、一対のブラケット６０Ａ、６０Ｂと、を含んでいる。バー３０は左右方向に延びており、支柱２０Ａ、２０Ｂに架け渡されている。ブラケット６０Ａ（第１ブラケット）は、バー３０の左端部を、支柱２０Ａに接続している。ブラケット６０Ｂ（第２ブラケット）は、バー３０の右端部を、支柱２０Ｂに接続している。
【００２６】
（ブラケット）
以下、ブラケット６０Ａ、６０Ｂの形状について説明する。なお、ブラケット６０Ａ、６０Ｂは互いに左右対称な形状であるため、これらを代表させてブラケット６０Ｂの形状について説明する。すなわち、以下のブラケット６０Ｂについての説明は、ブラケット６０Ａについての説明でもある。
【００２７】
図４に示すように、ブラケット６０Ｂは、固定部６１と、前板部６２と、上板部６３と、後板部６４と、下板部６５と、中板部６６と、を有している。ブラケット６０Ｂは、板金材料をプレス加工することで、各部６１〜６６が一体に形成されている。なお、ブラケット６０Ｂの材質、成形方法は適宜変更してもよい。
【００２８】
固定部６１は、上下方向および前後方向に延びる板状に形成されている。固定部６１は、ブラケット６０Ｂのうち、支柱２０Ｂに固定される部分である。固定部６１の右端面（
左右方向外側の端面）は、支柱２０Ｂの左端面（左右方向内側の端面）に接する。固定部６１には、固定部６１を左右方向に貫通する複数の貫通孔６１ａが形成されている。複数の貫通孔６１ａは、上下方向に間隔を空けて配置されている。ブラケット６０Ｂを支柱２０Ｂに固定する際、ネジなどの締結部材Ｆ１（図３参照）を貫通孔６１ａに対して右方（左右方向外側）に向けて挿通させる。締結部材Ｆ１が支柱２０Ｂの締結孔２３に締結されることで、ブラケット６０Ｂが支柱２０Ｂに固定される。
【００２９】
前板部６２は、固定部６１の後端部から左方（左右方向内側）に向けて延びている。前板部６２は、上下方向および左右方向に延びる板状に形成されている。上板部６３は、前板部６２の上端部から、前方に向けて延びている。上板部６３は、前後方向および左右方向に延びる板状に形成されている。後板部６４は、上板部６３の前端部から、下方に向けて延びている。後板部６４は、左右方向および上下方向に延びる板状に形成されている。
【００３０】
下板部６５は、前板部６２の下端部から、後方に向けて延びている。下板部６５は、前後方向および左右方向に延びる板状に形成されている。下板部６５には、下板部６５を上下方向に貫通する貫通孔６５ａが形成されている。貫通孔６５ａは、バー３０をブラケット６０Ｂに固定するために用いられる。中板部６６は、固定部６１の後端部から、左方（左右方向内側）に向けて延びている。
【００３１】
（バー）
図５（ａ）、（ｂ）に示すように、バー３０は、後壁部３１と、上壁部３２と、係止部３３と、下壁部３４と、前壁部３５と、を有している。バー３０は、板金材料をプレス加工することで、各部３１〜３５が一体に形成されている。なお、バー３０の材質、成形方法は適宜変更してもよい。
【００３２】
後壁部３１は、左右方向および上下方向に延びる板状に形成されている。上壁部３２は、後壁部３１の上端部から前方に向けて延びている。上壁部３２は、左右方向および前後方向に延びる板状に形成されている。係止部３３は、上壁部３２の前端部から、下方に向けて延びている。係止部３３は、上下方向および左右方向に延びる板状に形成されている。
【００３３】
下壁部３４は、後壁部３１の下端部から前方に向けて延びている。下壁部３４は、左右方向および前後方向に延びる板状に形成されている。下壁部３４には、複数（２つ）の締結部３４ａ、３４ｂが形成されている。複数の締結部３４ａ、３４ｂは、左右方向に間隔を空けて配置されている。締結部３４ａ（第１締結部）は下壁部３４の左端部に位置しており、締結部３４ｂ（第２締結部）は下壁部３４の右端部に位置している。前壁部３５は、下壁部３４の前端部から上方に向けて延びている。前壁部３５は、左右方向および上下方向に延びる板状に形成されている。前壁部３５は、下壁部３４のうち、右端部および左端部を除く部分に形成されている。
【００３４】
本実施形態の締結部３４ａ、３４ｂは、下壁部３４から上方に向けて延びるバーリング部であり、内周面に雌ネジが形成されている。なお、締結部３４ａ、３４ｂの形態は適宜変更してもよい。例えば、下壁部３４に貫通孔を設け、その貫通孔の上端縁にナットを固定してもよい。この場合、ナットが締結部３４ａ、３４ｂとして機能する。
【００３５】
締結部３４ａ、３４ｂは、バー３０をブラケット６０Ａ，６０Ｂに固定するために用いられる。より詳しくは、図６（ａ）、（ｂ）に示すように、ブラケット６０Ａ、６０Ｂの貫通孔６５ａの左右方向および前後方向における位置は、締結部３４ａ、３４ｂの位置と一致している。また、貫通孔６５ａの内径は、締結部３４ａ、３４ｂの内径よりも大きい。
【００３６】
次に、オプション支持部２の支柱２０Ａ、２０Ｂへの取り付け方法について説明する。
【００３７】
まず、支柱２０Ａ、２０Ｂの締結孔２３にキャップなどが取り付けられている場合は、このキャップなどを除去する（図３参照）。
次に、ブラケット６０Ａ、６０Ｂを支柱２０Ａ、２０Ｂに取り付ける。このとき、ブラケット６０Ａ，６０Ｂの各固定部６１を、支柱２０Ａ、２０Ｂの左右方向内側の端面に当接させる。そして、締結部材Ｆ１を、ブラケット６０Ａ、６０Ｂの貫通孔６１ａを通して、支柱２０Ａ、２０Ｂの締結孔２３に締結する。これにより、ブラケット６０Ａ，６０Ｂが支柱２０Ａ，２０Ｂに固定される。
【００３８】
次に、バー３０をブラケット６０Ａ、６０Ｂの上方から被せて、バー３０の係止部３３を、ブラケット６０Ａ、６０Ｂの前板部６２よりも前方に位置させる（図６（ｂ）参照）。すると、バー３０の上壁部３２がブラケット６０Ａ，６０Ｂの上板部６３上に載置され、バー３０の下壁部３４がブラケット６０Ａ，６０Ｂの下板部６５上に載置される。これにより、バー３０の自重はブラケット６０Ａ，６０Ｂによって支持される。
【００３９】
次に、ブラケット６０Ａ、６０Ｂの各貫通孔６５ａを通して、複数の締結部材Ｆ２（図３参照）を、締結部３４ａ、３４ｂに下方から締結させる。これにより、バー３０がブラケット６０Ａ、６０Ｂに固定される。なお、締結部材Ｆ２としては、ボルトや摘み付きのネジなどを用いることができる。
以上の方法により、オプション支持部２が支柱２０Ａ，２０Ｂに取り付けられる。
【００４０】
以上説明したように、本実施形態のパーティション１はオプション支持部２を備えている。このため、オプション支持部２に、ケースや籠などのオプション部材３〜５を取り付けることができる。また、オプション支持部２は仕切部材５０の後方に位置し、パネル群４０Ａ、４０Ｂは仕切部材５０の前方に位置している。このように、オプション支持部２が仕切部材５０に対するパネル群４０Ａ，４０Ｂの反対側に位置しているため、パネル群４０Ａ，４０Ｂの展開および折り畳みの操作をオプション支持部２が妨げることを抑制できる。
【００４１】
また、図１に示すように、前後方向において、オプション支持部２の後端部（バー３０の後壁部３１）が、支柱２０Ａ、２０Ｂの後端部よりも前方に位置している。このように、オプション支持部２が支柱２０Ａ，２０Ｂよりも後方に突出しない構成とすることで、パーティション１を移動させる際に、例えばオプション支持部２が壁などに当たることを抑制できる。したがって、パーティション１の移動時の操作性を向上させることができる。
【００４２】
また、オプション支持部２は、左右方向に延びるバー３０と、バー３０を一対の支柱２０Ａ、２０Ｂに接続する一対のブラケット６０Ａ、６０Ｂと、を含んでいる。この構成により、バー３０を支柱２０Ａ、２０Ｂに容易に取り付けることができる。そして、図６（ａ）、（ｂ）に示すように、バー３０は、一対のブラケット６０Ａ，６０Ｂを上方および後方から覆っている。このため、ブラケット６０Ａ，６０Ｂに汚れなどが付着しにくい。さらに、バー３０の表面はブラケット６０Ａ，６０Ｂの表面よりも平坦な形状となっており、バー３０に埃などの汚れが付着したとしても、容易に清掃することができる。したがって、例えば病院などの清潔さが求められる場所にも、本実施形態のパーティション１を好適に用いることができる。
【００４３】
また、図２に示すように、複数のオプション支持部２を上下方向に間隔を空けて設けることで、複数のバー３０にまたがってオプション部材５を取り付けることができる。したがって、上下に長い寸法を有するオプション部材５であっても、安定して取り付けることができる。
【００４４】
なお、本発明の技術的範囲は前記実施の形態に限定されず、本発明の趣旨を逸脱しない範囲において種々の変更を加えることが可能である。
【００４５】
例えば、前記実施形態のパーティション１は２つのパネル群４０Ａ、４０Ｂを有していたが、パーティション１が有するパネル群は１つであってもよい。また、土台１０にはキャスターＣが設けられていなくてもよい。
また、前記実施形態のオプション支持部２は、バー３０および一対のブラケット６０Ａ、６０Ｂを含んでいたが、オプション支持部２の構成部材は適宜変更してもよい。例えば、バー３０およびブラケット６０Ａ、６０Ｂが一体となった１つの部材を、オプション支持部２として用いてもよい。
【００４６】
その他、本発明の趣旨を逸脱しない範囲で、上記した実施の形態における構成要素を周知の構成要素に置き換えることは適宜可能であり、また、上記した実施形態や変形例を適宜組み合わせてもよい。
【符号の説明】
【００４７】
１…パーティション  ２…オプション支持部  １０…土台  ２０Ａ、２０Ｂ…支柱  ３０…バー  ４０Ａ，４０Ｂ…パネル群  ５０…仕切部材  ５１…第２面  ６０Ａ、６０Ｂ…ブラケット
【図１】
2020066963.tif 000003
【図２】
2020066963.tif 000004
【図３】
2020066963.tif 000005
【図４】
2020066963.tif 000006
【図５】
2020066963.tif 000007
【図６】
2020066963.tif 000008